(57)【要約】【課題】スラローム走行時におけるキャンバ角の頻繁な切り替わりを防止することができる車両用制御装置を提供すること。【解決手段】車輪２のキャンバ角が第１キャンバ角に調整された状態において、ステアリング６３の操舵速度が閾値Ｋよりも小さいと判断され且つステアリング６３の操舵量が閾値Ｌよりも小さいと判断されるまで、車輪２のキャンバ角を第１キャンバ角に維持するので、ステアリング６３の操舵量が閾値Ｌに満たなくなっても、ステアリング６３の操舵速度が閾値Ｋに満たなくなるまでは、キャンバ角を第１キャンバ角に維持することができる。これにより、ステアリング６３の操舵量が絶えず変化するスラローム走行時においても、ステアリング６３の操舵量が閾値Ｌに満たなくなるたびにキャンバ角調整装置４４を作動させてしまうことがなく、キャンバ角の頻繁な切り替わりを防止することができる。【選択図】図５
2010228470.tif 000002
【特許請求の範囲】
【請求項１】
複数の車輪と、それら複数の車輪の内の操舵可能に構成される車輪を操舵するために操作される操舵部材と、前記複数の車輪の内の少なくとも一部の車輪のキャンバ角を調整するキャンバ角調整装置とを備えた車両に用いられる車両用制御装置であって、
前記操舵部材の操舵速度を取得する操舵速度取得手段と、
前記操舵部材の操舵量を取得する操舵量取得手段と、
前記操舵速度取得手段により取得された前記操舵部材の操舵速度および前記操舵量取得手段により取得された前記操舵部材の操舵量に基づいて、前記キャンバ角調整装置を作動させるキャンバ制御手段と、を備えていることを特徴とする車両用制御装置。
【請求項２】
前記操舵速度取得手段により取得された前記操舵部材の操舵速度が所定の操舵速度以上であるかを判断する操舵速度判断手段と、
前記操舵量取得手段により取得された前記操舵部材の操舵量が所定の操舵量以上であるかを判断する操舵量判断手段と、を備え、
前記キャンバ制御手段は、
前記操舵速度判断手段により前記操舵部材の操舵速度が所定の操舵速度以上であると判断されるか又は前記操舵量判断手段により前記操舵部材の操舵量が所定の操舵量以上であると判断される場合に、前記キャンバ角調整装置を作動させて前記車輪のキャンバ角を第１キャンバ角に調整する第１キャンバ角調整手段と、
その第１キャンバ角調整手段により前記車輪のキャンバ角が第１キャンバ角に調整された状態において、前記操舵速度判断手段により前記操舵部材の操舵速度が所定の操舵速度よりも小さいと判断され且つ前記操舵量判断手段により前記操舵部材の操舵量が所定の操舵量よりも小さいと判断されるまで、前記車輪のキャンバ角を第１キャンバ角に維持する第１キャンバ角維持手段と、を備えていることを特徴とする請求項１記載の車両用制御装置。
【請求項３】
前記車両の走行速度を取得する車速取得手段を備え、
前記操舵速度判断手段の判断基準となる前記所定の操舵速度および前記操舵量判断手段の判断基準となる前記所定の操舵量の少なくとも一方は、前記車速取得手段により取得された前記車両の走行速度に応じて設定されることを特徴とする請求項２記載の車両用制御装置。
【請求項４】
前記車輪は、第１トレッドと、その第１トレッドに対して前記車両の内側または外側に配置される第２トレッドと、を備え、前記第１トレッドが前記第２トレッドに比してグリップ力の高い特性に構成されると共に、前記第２トレッドが前記第１トレッドに比して転がり抵抗の小さい特性に構成され、
前記キャンバ制御手段は、前記操舵速度判断手段により前記操舵部材の操舵速度が所定の操舵速度よりも小さいと判断され且つ前記操舵量判断手段により前記操舵部材の操舵量が所定の操舵量よりも小さいと判断される場合に、前記キャンバ角調整装置を作動させて前記車輪のキャンバ角を第２キャンバ角に調整する第２キャンバ角調整手段を備え、
前記第１キャンバ角調整手段により前記車輪のキャンバ角が第１キャンバ角に調整された状態では、前記第２キャンバ角調整手段により前記車輪のキャンバ角が第２キャンバ角に調整された状態よりも、前記第２トレッドの接地に対する前記第１トレッドの接地比率が大きくなる一方、前記第２キャンバ角調整手段により前記車輪のキャンバ角が第２キャンバ角に調整された状態では、前記第１キャンバ角調整手段により前記車輪のキャンバ角が第１キャンバ角に調整された状態よりも、前記第１トレッドの接地に対する前記第２トレッドの接地比率が大きくなることを特徴とする請求項２又は３に記載の車両用制御装置。
【発明の詳細な説明】
【技術分野】
【０００１】
本発明は、車輪のキャンバ角を調整するキャンバ角調整装置を備えた車両に用いられる車両用制御装置に関し、特に、スラローム走行時におけるキャンバ角の頻繁な切り替わりを防止することができる車両用制御装置に関するものである。
【背景技術】
【０００２】
従来より、キャンバ角調整装置を作動させて車輪のキャンバ角を調整する技術が知られている。この種の技術に関し、例えば、特許文献１には、ステアリングから入力される操舵角を操舵角検出部で検出し、その操舵角検出部で検出した操舵角に基づいてアクチュエータ（キャンバ角調整装置）を作動させて車輪のキャンバ角を調整する技術が開示されている。
【先行技術文献】
【特許文献】
【０００３】
【特許文献１】特開２００６−２８２０６６号
【発明の概要】
【発明が解決しようとする課題】
【０００４】
しかしながら、特許文献１に開示される技術のように、ステアリングから入力される操舵角に基づいてアクチュエータを作動させる構成では、操舵角が絶えず変化するスラローム走行時において、操舵角が変化するたびにアクチュエータが作動してしまい、キャンバ角が頻繁に切り替わってしまうという問題点があった。
【０００５】
本発明は、上述した問題点を解決するためになされたものであり、スラローム走行時におけるキャンバ角の頻繁な切り替わりを防止することができる車両用制御装置を提供することを目的としている。
【課題を解決するための手段】
【０００６】
この目的を達成するために、請求項１記載の車両用制御装置は、複数の車輪と、それら複数の車輪の内の操舵可能に構成される車輪を操舵するために操作される操舵部材と、前記複数の車輪の内の少なくとも一部の車輪のキャンバ角を調整するキャンバ角調整装置とを備えた車両に用いられるものであって、前記操舵部材の操舵速度を取得する操舵速度取得手段と、前記操舵部材の操舵量を取得する操舵量取得手段と、前記操舵速度取得手段により取得された前記操舵部材の操舵速度および前記操舵量取得手段により取得された前記操舵部材の操舵量に基づいて、前記キャンバ角調整装置を作動させるキャンバ制御手段と、を備えている。
【０００７】
請求項２記載の車両用制御装置は、請求項１記載の車両用制御装置において、前記操舵速度取得手段により取得された前記操舵部材の操舵速度が所定の操舵速度以上であるかを判断する操舵速度判断手段と、前記操舵量取得手段により取得された前記操舵部材の操舵量が所定の操舵量以上であるかを判断する操舵量判断手段と、を備え、前記キャンバ制御手段は、前記操舵速度判断手段により前記操舵部材の操舵速度が所定の操舵速度以上であると判断されるか又は前記操舵量判断手段により前記操舵部材の操舵量が所定の操舵量以上であると判断される場合に、前記キャンバ角調整装置を作動させて前記車輪のキャンバ角を第１キャンバ角に調整する第１キャンバ角調整手段と、その第１キャンバ角調整手段により前記車輪のキャンバ角が第１キャンバ角に調整された状態において、前記操舵速度判断手段により前記操舵部材の操舵速度が所定の操舵速度よりも小さいと判断され且つ前記操舵量判断手段により前記操舵部材の操舵量が所定の操舵量よりも小さいと判断されるまで、前記車輪のキャンバ角を第１キャンバ角に維持する第１キャンバ角維持手段と、を備えている。
【０００８】
請求項３記載の車両用制御装置は、請求項２記載の車両用制御装置において、前記車両の走行速度を取得する車速取得手段を備え、前記操舵速度判断手段の判断基準となる前記所定の操舵速度および前記操舵量判断手段の判断基準となる前記所定の操舵量の少なくとも一方は、前記車速取得手段により取得された前記車両の走行速度に応じて設定される。
【０００９】
請求項４記載の車両用制御装置は、請求項２又は３に記載の車両用制御装置において、前記車輪は、第１トレッドと、その第１トレッドに対して前記車両の内側または外側に配置される第２トレッドと、を備え、前記第１トレッドが前記第２トレッドに比してグリップ力の高い特性に構成されると共に、前記第２トレッドが前記第１トレッドに比して転がり抵抗の小さい特性に構成され、前記キャンバ制御手段は、前記操舵速度判断手段により前記操舵部材の操舵速度が所定の操舵速度よりも小さいと判断され且つ前記操舵量判断手段により前記操舵部材の操舵量が所定の操舵量よりも小さいと判断される場合に、前記キャンバ角調整装置を作動させて前記車輪のキャンバ角を第２キャンバ角に調整する第２キャンバ角調整手段を備え、前記第１キャンバ角調整手段により前記車輪のキャンバ角が第１キャンバ角に調整された状態では、前記第２キャンバ角調整手段により前記車輪のキャンバ角が第２キャンバ角に調整された状態よりも、前記第２トレッドの接地に対する前記第１トレッドの接地比率が大きくなる一方、前記第２キャンバ角調整手段により前記車輪のキャンバ角が第２キャンバ角に調整された状態では、前記第１キャンバ角調整手段により前記車輪のキャンバ角が第１キャンバ角に調整された状態よりも、前記第１トレッドの接地に対する前記第２トレッドの接地比率が大きくなる。
【発明の効果】
【００１０】
請求項１記載の車両用制御装置によれば、キャンバ制御手段は、操舵速度取得手段により取得された操舵部材の操舵速度および操舵量取得手段により取得された操舵部材の操舵量に基づいて、キャンバ角調整装置を作動させる。
【００１１】
ここで、車輪を操舵するための操舵部材が繰り返し操作されるスラローム走行時には、操舵部材の操舵量と異なる周期で操舵部材の操舵速度も絶えず変化する。よって、操舵部材の操舵量およびその操舵量と異なる周期で絶えず変化する操舵部材の操舵速度に基づいてキャンバ角調整装置を作動させることで、操舵部材の操舵量が変化しても、キャンバ角調整装置を作動させた状態を維持することができる。従って、操舵部材の操舵量が絶えず変化するスラローム走行時においても、操舵部材の操舵量が変化するたびにキャンバ角調整装置を作動させてしまうことがなく、キャンバ角の頻繁な切り替わりを防止することができるという効果がある。
【００１２】
また、操舵部材の操舵量および操舵速度に基づいてキャンバ角調整装置を作動させるので、車両が旋回することに伴って変化する車両の状態量またはその状態量の変化量に基づいてキャンバ角調整装置を作動させる場合と比較して、旋回を早期に判断することができる分、キャンバ角調整装置を作動させるまでのタイムラグを抑制することができ、キャンバ角の調整を素早く行うことができるという効果がある。
【００１３】
請求項２記載の車両用制御装置によれば、請求項１記載の車両用制御装置の奏する効果に加え、キャンバ制御手段は、操舵速度判断手段により操舵部材の操舵速度が所定の操舵速度以上であると判断されるか又は操舵量判断手段により操舵部材の操舵量が所定の操舵量以上であると判断される場合に、キャンバ角調整装置を作動させる第１キャンバ角調整手段を備えているので、操舵部材の操舵量が所定の操舵量に満たなくとも、操舵部材の操舵速度が所定の操舵速度以上となることで、キャンバ角調整装置を作動させることができる。これにより、操舵部材の操舵速度が操舵量よりも早く変化する急旋回時において、操舵部材が操作されてからキャンバ角調整装置を作動させるまでのタイムラグを抑制することができ、キャンバ角の調整を素早く行うことができるという効果がある。
【００１４】
更に、第１キャンバ角調整手段は、車輪のキャンバ角を第１キャンバ角に調整するので、例えば、第１キャンバ角を、キャンバスラストが発生するキャンバ角としたり車輪の高グリップ特性が発揮されるキャンバ角とすることで、グリップ性能を確保することができるという効果がある。
【００１５】
また、キャンバ制御手段は、第１キャンバ角調整手段により車輪のキャンバ角が第１キャンバ角に調整された状態において、操舵速度判断手段により操舵部材の操舵速度が所定の操舵速度よりも小さいと判断され且つ操舵量判断手段により操舵部材の操舵量が所定の操舵量よりも小さいと判断されるまで、車輪のキャンバ角を第１キャンバ角に維持する第１キャンバ角維持手段を備えているので、操舵部材の操舵量が所定の操舵量に満たなくなっても、操舵部材の操舵速度が所定の操舵速度に満たなくなるまでは、キャンバ角を第１キャンバ角に維持することができる。これにより、操舵部材の操舵量が絶えず変化するスラローム走行時においても、操舵部材の操舵量が所定の操舵量に満たなくなるたびにキャンバ角調整装置を作動させてしまうことがなく、キャンバ角の頻繁な切り替わりを防止することができるという効果がある。
【００１６】
請求項３記載の車両用制御装置によれば、請求項２記載の車両用制御装置の奏する効果に加え、操舵速度判断手段の判断基準となる操舵速度および操舵量判断手段の判断基準となる操舵量の少なくとも一方は、車速取得手段により取得された車両の走行速度に応じて設定されるので、効率的かつ確実にキャンバ角の頻繁な切り替わりを防止することができるという効果がある。
【００１７】
即ち、操舵部材の操舵量または操舵速度が同等であったとしても、高速走行時には、低速走行時と比較して、車両の安全性を確保するべくキャンバ角を調整する必要性が高い。よって、この場合には、操舵速度判断手段の判断基準となる操舵速度または操舵量判断手段の判断基準となる操舵量を低く設定して、操舵部材の操舵速度または操舵量の変化に対しキャンバ角調整装置を敏感に作動させることが望ましい。しかしながら、操舵速度判断手段の判断基準となる操舵速度または操舵量判断手段の判断基準となる操舵量を低く設定すると、逆に、低速走行時には、キャンバ角を不必要に調整してしまう。これに対し、本発明によれば、操舵速度判断手段の判断基準となる操舵速度および操舵量判断手段の判断基準となる操舵量の少なくとも一方を車両の走行速度に応じて設定することで、キャンバ角を不必要に調整してしまうことがなく、効率的にキャンバ角の頻繁な切り替わりを防止することができる。
【００１８】
一方、操舵部材の操舵速度または操舵量が同等であったとしても、低速走行時には、高速走行時と比較して、キャンバ角調整装置を作動させてキャンバ角を調整する必要性は低い。よって、この場合には、操舵速度判断手段の判断基準となる操舵速度または操舵量判断手段の判断基準となる操舵量を高く設定して、操舵部材の操舵速度または操舵量の変化に対しキャンバ角調整装置を鈍感に作動させることが望ましい。しかしながら、操舵速度判断手段の判断基準となる操舵速度または操舵量判断手段の判断基準となる操舵量を高く設定すると、逆に、高速走行時には、キャンバ角の調整が遅れたりキャンバ角を必要に応じて調整できなくなってしまう。これに対し、本発明によれば、操舵速度判断手段の判断基準となる操舵速度および操舵量判断手段の判断基準となる操舵量の少なくとも一方を車両の走行速度に応じて設定することで、キャンバ角の調整が遅れたりキャンバ角を必要に応じて調整できなくなってしまうことがなく、確実にキャンバ角の頻繁な切り替わりを防止することができる。
【００１９】
請求項４記載の車両用制御装置によれば、請求項２又は３に記載の車両用制御装置の奏する効果に加え、キャンバ制御手段は、操舵速度判断手段により操舵部材の操舵速度が所定の操舵速度よりも小さいと判断され且つ操舵量判断手段により操舵部材の操舵量が所定の操舵量よりも小さいと判断される場合に、キャンバ角調整装置を作動制御して車輪のキャンバ角を第２キャンバ角に調整する第２キャンバ角調整手段を備え、第１キャンバ角調整手段により車輪のキャンバ角が第１キャンバ角に調整された状態では、第２キャンバ角調整手段により車輪のキャンバ角が第２キャンバ角に調整された状態よりも、第２トレッドの接地に対する第１トレッドの接地比率が大きくなるので、車輪のキャンバ角が第１キャンバ角に調整された状態では、第１トレッドのグリップ力の高い特性を発揮させて、グリップ性能を確保することができるという効果がある。
【００２０】
一方、第２キャンバ角調整手段により車輪のキャンバ角が第２キャンバ角に調整された状態では、第１キャンバ角調整手段により車輪のキャンバ角が第１キャンバ角に調整された状態よりも、第１トレッドの接地に対する第２トレッドの接地比率が大きくなるので、車輪のキャンバ角が第２キャンバ角に調整された状態では、第２トレッドの転がり抵抗の小さい特性を発揮させて、低燃費化を図ることができるという効果がある。
【００２１】
また、第２キャンバ角調整手段は、車輪のキャンバ角を第２キャンバ角に調整するので、例えば、第２キャンバ角を、キャンバスラストが低減されるキャンバ角とすることで、低燃費化を図ることができるという効果がある。
【図面の簡単な説明】
【００２２】
【図１】本発明の第１実施の形態における車両用制御装置が搭載される車両を模式的に示した模式図である。
【図２】懸架装置の正面図である。
【図３】車両用制御装置の電気的構成を示したブロック図である。
【図４】（ａ）は、ステアリング操舵速度マップの内容を模式的に示した模式図であり、（ｂ）は、ステアリング操舵量マップの内容を模式的に示した模式図である。
【図５】キャンバ制御処理を示すフローチャートである。
【図６】スラローム走行時におけるステアリングの操舵速度および操舵量と車輪のキャンバ角との関係を時系列に示したグラフである。
【図７】第２実施の形態における車両用制御装置の電気的構成を示したブロック図である。
【図８】（ａ）は、アクセル操作速度マップの内容を模式的に示した模式図であり、（ｂ）は、アクセル操作量マップの内容を模式的に示した模式図である。
【図９】第２実施の形態におけるキャンバ制御処理を示すフローチャートである。
【図１０】アクセルペダルの操作速度および操作量と車輪のキャンバ角との関係およびブレーキペダルの操作速度および操作量と車輪のキャンバ角との関係を時系列に示したグラフである。
【発明を実施するための形態】
【００２３】
以下、本発明の好ましい実施の形態について添付図面を参照して説明する。図１は、本発明の第１実施の形態における車両用制御装置１００が搭載される車両１を模式的に示した模式図である。なお、図１の矢印Ｕ−Ｄ，Ｌ−Ｒ，Ｆ−Ｂは、車両１の上下方向、左右方向、前後方向をそれぞれ示している。
【００２４】
まず、車両１の概略構成について説明する。車両１は、図１に示すように、車体フレームＢＦと、その車体フレームＢＦを支持する複数（本実施の形態では４輪）の車輪２と、それら複数の車輪２の内の一部（本実施の形態では、左右の前輪２ＦＬ，２ＦＲ）を回転駆動する車輪駆動装置３と、各車輪２と車体フレームＢＦとを連結する複数の懸架装置４と、複数の車輪２の内の一部（本実施の形態では、左右の前輪２ＦＬ，２ＦＲ）を操舵する操舵装置５とを主に備えて構成されている。
【００２５】
次いで、各部の詳細構成について説明する。車輪２は、図１に示すように、車両１の前方側（矢印Ｆ方向側）に位置する左右の前輪２ＦＬ，２ＦＲと、車両１の後方側（矢印Ｂ方向側）に位置する左右の後輪２ＲＬ，２ＲＲとを備えている。なお、本実施の形態では、左右の前輪２ＦＬ，２ＦＲは、車輪駆動装置３により回転駆動される駆動輪として構成される一方、左右の後輪２ＲＬ，２ＲＲは、車両１の走行に伴って従動される従動輪として構成されている。
【００２６】
また、車輪２は、図１に示すように、第１トレッド２１及び第２トレッド２２の２種類のトレッドを備え、各車輪２において、第１トレッド２１が車両１の内側に配置され、第２トレッド２２が車両１の外側に配置されている。なお、本実施の形態では、両トレッド２１，２２の幅（図１左右方向の寸法）が同一の幅に構成されている。
【００２７】
また、第１トレッド２１及び第２トレッド２２は、第２トレッド２２が第１トレッド２１よりも硬度の高い材料により構成され、第１トレッド２１が第２トレッド２２に比してグリップ力の高い特性（高グリップ特性）に構成される一方、第２トレッド２２が第１トレッド２１に比して転がり抵抗の小さい特性（低転がり特性）に構成されている。
【００２８】
車輪駆動装置３は、上述したように、左右の前輪２ＦＬ，２ＦＲを回転駆動するための装置であり、後述するように電動モータ３ａにより構成されている（図３参照）。また、電動モータ３ａは、図１に示すように、デファレンシャルギヤ（図示せず）及び一対のドライブシャフト３１を介して左右の前輪２ＦＬ，２ＦＲに接続されている。
【００２９】
運転者がアクセルペダル６１を操作した場合には、車輪駆動装置３から左右の前輪２ＦＬ，２ＦＲに回転駆動力が付与され、それら左右の前輪２ＦＬ，２ＦＲがアクセルペダル６１の操作量に応じて回転駆動される。なお、左右の前輪２ＦＬ，２ＦＲの回転差は、デファレンシャルギヤにより吸収される。
【００３０】
懸架装置４は、路面から車輪２を介して車体フレームＢＦに伝わる振動を緩和するための装置、いわゆるサスペンションとして機能するものであり、図１に示すように、各車輪２に対応してそれぞれ設けられている。また、本実施の形態における懸架装置４は、車輪２のキャンバ角を調整するキャンバ角調整機構としての機能を兼ね備えている。
【００３１】
ここで、図２を参照して、懸架装置４の詳細構成について説明する。図２は、懸架装置４の正面図である。なお、ここでは、キャンバ角調整機構として機能する構成のみについて説明し、サスペンションとして機能する構成については周知の構成と同様であるので、その説明を省略する。また、各懸架装置４の構成は、各車輪２においてそれぞれ共通であるので、右の前輪２ＦＲに対応する懸架装置４を代表例として図２に図示する。但し、図２では、理解を容易とするために、ドライブシャフト３１等の図示が省略されている。
【００３２】
懸架装置４は、図２に示すように、ストラット４１及びロアアーム４２を介して車体フレームＢＦに支持されるナックル４３と、駆動力を発生するＦＲモータ４４ＦＲと、そのＦＲモータ４４ＦＲの駆動力を伝達するウォームホイール４５及びアーム４６と、それらウォームホイール４５及びアーム４６から伝達されるＦＲモータ４４ＦＲの駆動力によりナックル４３に対して揺動駆動される可動プレート４７とを主に備えて構成されている。
【００３３】
ナックル４３は、車輪２を操舵可能に支持するものであり、図２に示すように、上端（図２上側）がストラット４１に連結されると共に、下端（図２下側）がボールジョイントを介してロアアーム４２に連結されている。
【００３４】
ＦＲモータ４４ＦＲは、可動プレート４７に揺動駆動のための駆動力を付与するものであり、ＤＣモータにより構成され、その出力軸４４ａにはウォーム（図示せず）が形成されている。
【００３５】
ウォームホイール４５は、ＦＲモータ４４ＦＲの駆動力をアーム４６に伝達するものであり、ＦＲモータ４４ＦＲの出力軸４４ａに形成されたウォームに噛み合い、かかるウォームと共に食い違い軸歯車対を構成している。
【００３６】
アーム４６は、ウォームホイール４５から伝達されるＦＲモータ４４ＦＲの駆動力を可動プレート４７に伝達するものであり、図２に示すように、一端（図２右側）が第１連結軸４８を介してウォームホイール４５の回転軸４５ａから偏心した位置に連結される一方、他端（図２左側）が第２連結軸４９を介して可動プレート４７の上端（図２上側）に連結されている。
【００３７】
可動プレート４７は、車輪２を回転可能に支持するものであり、上述したように、上端（図２上側）がアーム４６に連結される一方、下端（図２下側）がキャンバ軸５０を介してナックル４３に揺動可能に軸支されている。
【００３８】
上述したように構成される懸架装置４によれば、ＦＲモータ４４ＦＲが駆動されると、ウォームホイール４５が回転すると共に、ウォームホイール４５の回転運動がアーム４６の直線運動に変換される。その結果、アーム４６が直線運動することで、可動プレート４７がキャンバ軸５０を揺動軸として揺動駆動され、車輪２のキャンバ角が調整される。
【００３９】
なお、本実施の形態では、各連結軸４８，４９及びウォームホイール４５の回転軸４５ａが、車体フレームＢＦから車輪２に向かう方向（矢印Ｒ方向）において、第１連結軸４８、回転軸４５ａ、第２連結軸４９の順に一直線上に並んで位置する第１キャンバ状態と、回転軸４５ａ、第１連結軸４８、第２連結軸４９の順に一直線上に並んで位置する第２キャンバ状態（図２に示す状態）とのいずれか一方のキャンバ状態となるように車輪２のキャンバ角が調整される。
【００４０】
これにより、車輪２のキャンバ角が調整された状態では、車輪２に外力が加わったとしても、アーム４６を回動させる方向の力は発生せず、車輪２のキャンバ角を維持することができる。
【００４１】
また、本実施の形態では、かかる第１キャンバ状態において、車輪２のキャンバ角が第１キャンバ角（本実施の形態では３°）に調整され、車輪２にネガティブキャンバが付与される。これにより、第２トレッド２２の接地に対する第１トレッド２１の接地比率が大きくなることで、第１トレッド２１の高グリップ特性を発揮させると共に、キャンバスラストを発生させて、グリップ性能を確保することができる。
【００４２】
一方、かかる第２キャンバ状態（図２に示す状態）では、車輪２のキャンバ角が第２キャンバ角（本実施の形態では０°）に調整される。ここで、第２トレッド２２は、第１トレッド２１よりも硬度の高い材料により構成されているので、車輪２のキャンバ角が０°に調整された場合には、第１トレッド２１の接地が第２トレッド２２によって妨げられる。これにより、第１トレッド２１の接地に対する第２トレッド２２の接地比率が大きくなることで、第２トレッド２２の低転がり特性を発揮させると共に、キャンバスラストの発生を回避して、省燃費化を図ることができる。
【００４３】
図１に戻って説明する。操舵装置５は、運転者によるステアリング６３の操作を左右の前輪２ＦＬ，２ＦＲに伝えて操舵するための装置であり、いわゆるラック＆ピニオン式のステアリングギヤとして構成されている。
【００４４】
この操舵装置５によれば、運転者によるステアリング６３の操作（回転）は、まず、ステアリングコラム５１を介してユニバーサルジョイント５２に伝達され、ユニバーサルジョイント５２により角度を変えられつつステアリングボックス５３のピニオン５３ａに回転運動として伝達される。そして、ピニオン５３ａに伝達された回転運動は、ラック５３ｂの直線運動に変換され、ラック５３ｂが直線運動することで、ラック５３ｂの両端に接続されたタイロッド５４が移動する。その結果、タイロッド５４がナックル５５を押し引きすることで、車輪２に所定の舵角が付与される。
【００４５】
アクセルペダル６１及びブレーキペダル６２は、運転者により操作される操作部材であり、各ペダル６１，６２の操作状態（踏み込み量、踏み込み速度など）に応じて、車両１の走行速度や制動力が決定され、車輪駆動装置３が駆動制御される。ステアリング６３は、運転者により操作される操舵部材であり、その操作状態（回転角、回転速度など）に応じて、操舵装置５により左右の前輪２ＦＬ，２ＦＲが操舵される。
【００４６】
車両用制御装置１００は、上述したように構成される車両１の各部を制御するための装置であり、例えば、各ペダル６１，６２やステアリング６３の操作状態に応じてキャンバ角調整装置４４（図３参照）を作動制御する。
【００４７】
次いで、図３を参照して、車両用制御装置１００の詳細構成について説明する。図３は、車両用制御装置１００の電気的構成を示したブロック図である。車両用制御装置１００は、図３に示すように、ＣＰＵ７１、ＲＯＭ７２及びＲＡＭ７３を備え、それらがバスライン７４を介して入出力ポート７５に接続されている。また、入出力ポート７５には、車輪駆動装置３等の装置が接続されている。
【００４８】
ＣＰＵ７１は、バスライン７４により接続された各部を制御する演算装置であり、ＲＯＭ７２は、ＣＰＵ７１により実行される制御プログラム（例えば、図５に図示されるフローチャートのプログラム）や固定値データ等を格納した書き換え不能な不揮発性のメモリである。また、ＲＯＭ７２には、図３に示すように、ステアリング操舵速度マップ７２ａ及びステアリング操舵量マップ７２ｂが設けられている。
【００４９】
ここで、図４を参照して、ステアリング操舵速度マップ７２ａ及びステアリング操舵量マップ７２ｂについて説明する。図４（ａ）は、ステアリング操舵速度マップ７２ａの内容を模式的に示した模式図である。ステアリング操舵速度マップ７２ａは、車両１の走行速度と車輪２のキャンバ角を第１キャンバ角に調整するためのステアリング６３の操舵速度（回転速度）の閾値Ｋとの関係を規定したマップである。ＣＰＵ７１は、このステアリング操舵速度マップ７２ａの内容に基づいて、現在の車両１の走行速度において車輪２のキャンバ角を第１キャンバ角に調整するための閾値Ｋを取得する。
【００５０】
このステアリング操舵速度マップ７２ａによれば、図４（ａ）に示すように、車両１の走行速度がＶａよりも小さい場合には、閾値Ｋは規定されていない。即ち、車両１の走行速度がＶａよりも小さい場合には、ステアリング６３の操舵速度に関係なく、車輪２のキャンバ角の調整は行われない。
【００５１】
また、図４（ａ）に示すように、閾値Ｋは、車両１の走行速度がＶａの場合に最大値Ｋｍａｘに規定され、車両１の走行速度がＶａから増加するに従って曲線的に小さくなるように規定されている。そして、車両１の走行速度がＶｂの場合に最小値Ｋｍｉｎに規定されると共に、車両１の走行速度がＶｂから増加しても最小値Ｋｍｉｎで一定に規定されている。
【００５２】
図４（ｂ）は、ステアリング操舵量マップ７２ｂの内容を模式的に示した模式図である。ステアリング操舵量マップ７２ｂは、車両１の走行速度と車輪２のキャンバ角を第１キャンバ角に調整するためのステアリング６３の操舵量（回転角）の閾値Ｌとの関係を規定したマップである。ＣＰＵ７１は、このステアリング操舵量マップ７２ｂの内容に基づいて、現在の車両１の走行速度において車輪２のキャンバ角を第１キャンバ角に調整するための閾値Ｌを取得する。
【００５３】
このステアリング操舵量マップ７２ｂによれば、図４（ｂ）に示すように、車両１の走行速度がＶｃよりも小さい場合には、閾値Ｌは規定されていない。即ち、車両１の走行速度がＶｃよりも小さい場合には、ステアリング６３の操舵量に関係なく、車輪２のキャンバ角の調整は行われない。
【００５４】
また、図４（ｂ）に示すように、閾値Ｌは、車両１の走行速度がＶｃの場合に最大値Ｌｍａｘに規定され、車両１の走行速度がＶｃから増加するに従って曲線的に小さくなるように規定されている。そして、車両１の走行速度がＶｄの場合に最小値Ｌｍｉｎに規定されると共に、車両１の走行速度がＶｄから増加しても最小値Ｌｍｉｎで一定に規定されている。
【００５５】
図３に戻って説明する。ＲＡＭ７３は、制御プログラムの実行時に各種のデータを書き換え可能に記憶するためのメモリであり、図３に示すように、キャンバフラグ７３ａが設けられている。
【００５６】
キャンバフラグ７３ａは、車輪２のキャンバ角が第１キャンバ角に調整されているのか或いは第２キャンバ角に調整されているのかを示すフラグである。ＣＰＵ７１は、このキャンバフラグ７３ａがオンの場合に、車輪２のキャンバ角が第１キャンバ角に調整されていると判断し、キャンバフラグ７３ａがオフの場合に、車輪２のキャンバ角が第２キャンバ角に調整されていると判断する。
【００５７】
車輪駆動装置３は、上述したように、左右の前輪２ＦＬ，２ＦＲ（図１参照）を回転駆動するための装置であり、それら左右の前輪２ＦＬ，２ＦＲに回転駆動力を付与する電動モータ３ａと、その電動モータ３ａをＣＰＵ７１からの指示に基づいて駆動制御する駆動制御回路（図示せず）とを主に備えている。但し、車輪駆動装置３は、電動モータ３ａに限られず、他の駆動源を採用することは当然可能である。他の駆動源としては、例えば、油圧モータやエンジン等が例示される。
【００５８】
キャンバ角調整装置４４は、各車輪２のキャンバ角を調整するための装置であり、上述したように、各懸架装置４の可動プレート４７（図２参照）に揺動駆動のための駆動力をそれぞれ付与する合計４個のＦＬ〜ＲＲモータ４４ＦＬ〜４４ＲＲと、それら各モータ４４ＦＬ〜４４ＲＲをＣＰＵ７１からの指示に基づいて駆動制御する駆動制御回路（図示せず）とを主に備えている。
【００５９】
計時装置８０は、時間を計測するための装置であり、ＣＰＵ７１からの指示に基づいて時間を計測する計時回路（図示せず）と、その計時回路により計測された時間を処理してＣＰＵ７１に出力する出力回路（図示せず）とを主に備えている。
【００６０】
加速度センサ装置８１は、車両１の加速度を検出すると共に、その検出結果をＣＰＵ７１に出力するための装置であり、前後方向加速度センサ８１ａ及び左右方向加速度センサ８１ｂと、それら各加速度センサ８１ａ，８１ｂの検出結果を処理してＣＰＵ７１に出力する出力回路（図示せず）とを主に備えている。
【００６１】
前後方向加速度センサ８１ａは、車両１（車体フレームＢＦ）の前後方向（図１矢印Ｆ−Ｂ方向）の加速度を検出するセンサであり、左右方向加速度センサ８１ｂは、車両１（車体フレームＢＦ）の左右方向（図１矢印Ｌ−Ｒ方向）の加速度を検出するセンサである。なお、本実施の形態では、これら各加速度センサ８１ａ，８１ｂが圧電素子を利用した圧電型センサとして構成されている。
【００６２】
また、ＣＰＵ７１は、加速度センサ装置８１から入力された各加速度センサ８１ａ，８１ｂの検出結果（加速度値）を時間積分して、２方向（前後方向および左右方向）の速度をそれぞれ算出すると共に、それら２方向成分を合成することで、車両１の走行速度を取得することができる。
【００６３】
アクセルペダルセンサ装置６１ａは、アクセルペダル６１の操作量を検出すると共に、その検出結果をＣＰＵ７１に出力するための装置であり、アクセルペダル６１の踏み込み量を検出する角度センサ（図示せず）と、その角度センサの検出結果を処理してＣＰＵ７１に出力する出力回路（図示せず）とを主に備えている。
【００６４】
ブレーキペダルセンサ装置６２ａは、ブレーキペダル６２の操作量を検出すると共に、その検出結果をＣＰＵ７１に出力するための装置であり、ブレーキペダル６２の踏み込み量を検出する角度センサ（図示せず）と、その角度センサの検出結果を処理してＣＰＵ７１に出力する出力回路（図示せず）とを主に備えている。
【００６５】
ステアリングセンサ装置６３ａは、ステアリング６３の操舵量を検出すると共に、その検出結果をＣＰＵ７１に出力するための装置であり、ステアリング６３の回転角を検出する角度センサ（図示せず）と、その角度センサの検出結果を処理してＣＰＵ７１に出力する出力回路（図示せず）とを主に備えている。
【００６６】
なお、本実施の形態では、各角度センサが電気抵抗を利用した接触型のポテンショメータとして構成されている。また、ＣＰＵ７１は、各センサ装置６１ａ，６２ａ，６３ａから入力された各角度センサの検出結果（操作量および操舵量）を時間微分して、各ペダル６１，６２の踏み込み速度およびステアリング６３の回転速度を取得することができる。
【００６７】
ナビゲーション装置８２は、ＧＰＳを利用して車両１の現在位置を取得すると共に、車両１が走行予定の経路における道路状況を取得するための装置であり、ＧＰＳ衛星から電波を受信して車両１の現在位置を取得する現在位置取得部（図示せず）と、各種情報（道路状況など）を地図データ等に対応付けて記憶する情報記憶部（図示せず）と、それら現在位置取得部により取得された車両１の現在位置および情報記憶部に記憶されている各種情報を処理してＣＰＵ７１に出力する出力回路（図示せず）とを主に備えている。ＣＰＵ７１は、ナビゲーション装置８２から入力された車両１の現在位置および各種情報に基づいて、車両１が走行予定の経路における道路状況を取得することができる。
【００６８】
なお、本実施の形態におけるナビゲーション装置８２は、各種情報を地図データ等に対応付けて記憶する情報記憶部を備えているが、この情報記憶部に代えて、各種情報が地図データ等に対応付けて記憶された記憶媒体から各種情報を読み取る情報読取部を設け、その情報読取部により読み取った各種情報をＣＰＵ７１に出力するように構成しても良い。
【００６９】
図３に示す他の入出力装置９０としては、例えば、雨量を検出する雨量センサや路面の状態を非接触で検出する光学センサなどが例示される。
【００７０】
次いで、図５を参照して、キャンバ制御処理について説明する。図５は、キャンバ制御処理を示すフローチャートである。この処理は、車両用制御装置１００の電源が投入されている間、ＣＰＵ７１によって繰り返し（例えば、０．２秒間隔で）実行される処理であり、ステアリング６３の操舵速度（回転速度）及び操舵量（回転角）に基づいて車輪２のキャンバ角を調整する処理である。
【００７１】
ＣＰＵ７１は、キャンバ制御処理に関し、まず、車両１の走行速度を取得し（Ｓ１）、その取得した車両１の走行速度が所定の走行速度（例えば１０ｋｍ／ｈ）以下であるか否かを判断する（Ｓ２）。
【００７２】
その結果、車両１の走行速度が所定の走行速度を超えていると判断される場合には（Ｓ２：Ｎｏ）、次いで、ステアリング６３の操舵速度（回転速度）を取得し（Ｓ３）、その取得したステアリング６３の操舵速度が閾値Ｋ以上であるか否かを判断する（Ｓ４）。なお、Ｓ４の処理では、まず、Ｓ１の処理で取得した車両１の走行速度に対応する閾値Ｋをステアリング操舵速度マップ７２ａから読み出し、その読み出した閾値ＫとＳ３の処理で取得したステリング６３の操舵速度とを比較して、現在のステアリング６３の操舵速度が閾値Ｋ以上であるか否かを判断する。
【００７３】
その結果、ステアリング６３の操舵速度が閾値Ｋ以上であると判断される場合には（Ｓ４：Ｙｅｓ）、次いで、キャンバフラグ７３ａがオンであるか否かを判断し（Ｓ５）、キャンバフラグ７３ａがオフであると判断される場合には（Ｓ５：Ｎｏ）、キャンバ角調整装置４４を作動させて車輪２（本実施の形態では、全ての車輪２ＦＬ〜２ＲＲ）のキャンバ角を第１キャンバ角に調整すると共に（Ｓ６）、キャンバフラグ７３ａをオンして（Ｓ７）、このキャンバ制御処理を終了する。
【００７４】
即ち、Ｓ４の処理の結果、ステアリング６３の操舵速度が閾値Ｋ以上であると判断される場合には、運転者によってステアリング６３が急操作され、車両１が急旋回するので、車輪２のキャンバ角を第１キャンバ角に調整して、車輪２にネガティブキャンバを付与する。これにより、キャンバスラストを発生させると共に第１トレッド２１の高グリップ特性を発揮させて、グリップ性能を確保することができる。
【００７５】
なお、Ｓ５の処理の結果、キャンバフラグ７３ａがオンであると判断される場合には（Ｓ５：Ｙｅｓ）、車輪２のキャンバ角は既に第１キャンバ角に調整されているので、Ｓ６及びＳ７の処理をスキップして、このキャンバ制御処理を終了する。
【００７６】
一方、Ｓ４の処理の結果、ステアリング６３の操舵速度が閾値Ｋよりも小さいと判断される場合には（Ｓ４：Ｎｏ）、次いで、ステアリング６３の操舵量（回転角）を取得し（Ｓ８）、その取得したステアリング６３の操舵量が閾値Ｌ以上であるか否かを判断する（Ｓ９）。なお、Ｓ９の処理では、まず、Ｓ１の処理で取得した車両１の走行速度に対応する閾値Ｌをステアリング操舵量マップ７２ｂから読み出し、その読み出した閾値ＬとＳ８の処理で取得したステリング６３の操舵量とを比較して、現在のステアリング６３の操舵量が閾値Ｌ以上であるか否かを判断する。
【００７７】
その結果、ステアリング６３の操舵量が閾値Ｌ以上であると判断される場合には（Ｓ９：Ｙｅｓ）、キャンバフラグ７３ａがオンであるか否かを判断し（Ｓ５）、キャンバフラグ７３ａがオフであると判断される場合には（Ｓ５：Ｎｏ）、キャンバ角調整装置４４を作動させて車輪２のキャンバ角を第１キャンバ角に調整すると共に（Ｓ６）、キャンバフラグ７３ａをオンして（Ｓ７）、このキャンバ制御処理を終了する。
【００７８】
即ち、Ｓ９の処理の結果、ステアリング６３の操舵量が閾値Ｌ以上であると判断される場合には、急旋回でなくとも、例えば、車両１が急カーブを走行中、又は、右左折中、或いは、Ｕターン中であるので、車輪２のキャンバ角を第１キャンバ角に調整して、車輪２にネガティブキャンバを付与する。これにより、キャンバスラストを発生させると共に第１トレッド２１の高グリップ特性を発揮させて、グリップ性能を確保することができる。
【００７９】
なお、Ｓ５の処理の結果、キャンバフラグ７３ａがオンであると判断される場合には（Ｓ５：Ｙｅｓ）、車輪２のキャンバ角は既に第１キャンバ角に調整されているので、Ｓ６及びＳ７の処理をスキップして、このキャンバ制御処理を終了する。
【００８０】
一方、Ｓ９の処理の結果、ステアリング６３の操舵量が閾値Ｌよりも小さいと判断される場合には（Ｓ９：Ｎｏ）、次いで、キャンバフラグ７３ａがオンであるか否かを判断し（Ｓ１０）、キャンバフラグ７３ａがオンであると判断される場合には（Ｓ１０：Ｙｅｓ）、計時装置８０により計時を開始する（Ｓ１１）。
【００８１】
次いで、Ｓ１１の処理で計時を開始してから所定の時間（例えば３秒など）が経過したか否かを判断し（Ｓ１２）、所定の時間が経過していないと判断される場合には（Ｓ１２：Ｎｏ）、所定の時間が経過したと判断されるまでＳ１２の処理を繰り返し実行する。
【００８２】
一方、Ｓ１２の処理の結果、所定の時間が経過したと判断される場合には（Ｓ１２：Ｙｅｓ）、キャンバ角調整装置４４を作動させて車輪２（本実施の形態では、全ての車輪２ＦＬ〜２ＲＲ）のキャンバ角を第２キャンバ角に調整すると共に（Ｓ１３）、キャンバフラグ７３ａをオフして（Ｓ１４）、このキャンバ制御処理を終了する。
【００８３】
即ち、Ｓ４の処理の結果、ステアリング６３の操舵速度が閾値Ｋよりも小さいと判断され且つＳ９の処理の結果、ステアリング６３の操舵量が閾値Ｌよりも小さいと判断される場合には（Ｓ４：Ｎｏ且つＳ９：Ｎｏ）、例えば、車両１が直進中、又は、緩やかなカーブを走行中であり、グリップ性能の確保は不要であるので、車輪２のキャンバ角を第２キャンバ角に調整して、ネガティブキャンバの付与を中止する。これにより、キャンバスラストを低減すると共に第１トレッド２１の高グリップ特性の発揮を抑制して、低燃費化を図ることができる。更に、本実施の形態では、第２キャンバ角として車輪２のキャンバ角を０°に調整するので、キャンバスラストの発生を回避すると共に第２トレッド２２の低転がり抵抗を発揮させて、更なる低燃費化を図ることができる。
【００８４】
なお、Ｓ１０の処理の結果、キャンバフラグ７３ａがオフであると判断される場合には（Ｓ１０：Ｎｏ）、車輪２のキャンバ角は既に第２キャンバ角に調整されているので、Ｓ１１からＳ１４の処理をスキップして、このキャンバ制御処理を終了する。
【００８５】
これに対し、Ｓ２の処理の結果、車両１の走行速度が所定の走行速度以下であると判断される場合には（Ｓ２：Ｙｅｓ）、次いで、キャンバフラグ７３ａがオンであるか否かを判断し（Ｓ１５）、キャンバフラグ７３ａがオンであると判断される場合には（Ｓ１５：Ｙｅｓ）、キャンバ角調整装置４４を作動させて車輪２のキャンバ角を第２キャンバ角に調整すると共に（Ｓ１３）、キャンバフラグ７３ａをオフして（Ｓ１４）、このキャンバ制御処理を終了する。
【００８６】
即ち、Ｓ２の処理の結果、車両１の走行速度が所定の走行速度以下であると判断される場合には（Ｓ２：Ｙｅｓ）、車両１が低速走行中であり、グリップ性能の確保は不要であるので、車輪２のキャンバ角を第２キャンバ角に調整して、低燃費化を図ることができる。
【００８７】
なお、Ｓ１５の処理の結果、キャンバフラグ７３ａがオフであると判断される場合には（Ｓ１５：Ｎｏ）、車輪２のキャンバ角は既に第２キャンバ角に調整されているので、Ｓ１３及びＳ１４の処理をスキップして、このキャンバ制御処理を終了する。
【００８８】
以上説明したように、本実施の形態によれば、ステアリング６３の操舵速度が閾値Ｋ以上であると判断されるか又はステアリング６３の操舵量が閾値Ｌ以上であると判断される場合に（Ｓ４：Ｙｅｓ又はＳ９：Ｙｅｓ）、キャンバ角調整装置４４を作動させるので、ステアリング６３の操舵量が閾値Ｌに満たなくとも、ステアリング６３の操舵速度が閾値Ｋ以上となることで、キャンバ角調整装置４４を作動させることができる。これにより、ステアリング６３の操舵速度が操舵量よりも早く変化する急旋回時において、ステアリング６３が操作されてからキャンバ角調整装置４４を作動させるまでのタイムラグを抑制することができ、キャンバ角の調整を素早く行うことができる。
【００８９】
また、車輪２のキャンバ角が第１キャンバ角に調整された状態において、ステアリング６３の操舵速度が閾値Ｋよりも小さいと判断され且つステアリング６３の操舵量が閾値Ｌよりも小さいと判断されるまで（Ｓ４：Ｎｏ且つＳ９：Ｎｏ）、車輪２のキャンバ角を第１キャンバ角に維持するので、ステアリング６３の操舵量が閾値Ｌに満たなくなっても、ステアリング６３の操舵速度が閾値Ｋに満たなくなるまでは、キャンバ角を第１キャンバ角に維持することができる。これにより、ステアリング６３の操舵量が絶えず変化するスラローム走行時においても、ステアリング６３の操舵量が閾値Ｌに満たなくなるたびにキャンバ角調整装置４４を作動させてしまうことがなく、キャンバ角の頻繁な切り替わりを防止することができる。
【００９０】
ここで、図６を参照して、スラローム走行時における車輪２のキャンバ角の調整について説明する。図６は、スラローム走行時におけるステアリング６３の操舵速度および操舵量と車輪２のキャンバ角との関係を時系列に示したグラフである。
【００９１】
図６に示すように、車両１のスラローム走行時には、まず、ステアリング６３が一方向へ操作され、ステアリング６３の操舵速度が閾値Ｋ以上となるか又はステアリング６３の操舵量が閾値Ｌ以上となることで、車輪２のキャンバ角が第１キャンバ角に調整される。なお、図６では、ステアリング６３の操舵速度が閾値Ｋ以上となることで、車輪２のキャンバ角が第１キャンバ角に調整される場合が図示されている。
【００９２】
次いで、ステアリング６３の切り返し操作に伴いステアリング６３が他方向へ操作され始めると、ステアリング６３の操舵速度が閾値Ｋに満たなくなる。しかしながら、ステアリング６３の操舵量は操舵速度に対し遅れて変化するため、この時点では、ステアリング６３の操舵量が閾値Ｌ以上となり、車輪２のキャンバ角は第１キャンバ角に維持される。
【００９３】
その後、ステアリング６３の操舵量が閾値Ｌに満たなくなるが、この時点では、ステアリング６３の操舵速度が閾値Ｋ以上となることで、車輪２のキャンバ角は第１キャンバ角に維持される。
【００９４】
このように、ステアリング６３が繰り返し操作されるスラローム走行時には、ステアリング６３の操舵量と異なる周期で操舵速度も絶えず変化する。よって、ステアリング６３の操舵量およびその操舵量と異なる周期で絶えず変化する操舵速度に基づいてキャンバ角調整装置４４を作動させることで、ステアリング６３の操舵量が変化しても、キャンバ角調整装置４４を作動させた状態を維持することができる。従って、ステアリング６３の操舵量が絶えず変化するスラローム走行時においても、ステアリング６３の操舵量が変化するたびにキャンバ角調整装置４４を作動させてしまうことがなく、キャンバ角の頻繁な切り替わりを防止することができる。
【００９５】
また、本実施の形態によれば、車輪２のキャンバ角を第１キャンバ角に調整するためのステアリング６３の操舵速度の閾値Ｋ及びステアリング６３の操舵量の閾値Ｌは、車両１の走行速度に応じて設定されるので、効率的かつ確実にキャンバ角の頻繁な切り替わりを防止することができる。
【００９６】
即ち、ステアリング６３の操舵速度または操舵量が同等であったとしても、高速走行時には、低速走行時と比較して、車両１の安全性を確保するべくキャンバ角を調整する必要性が高い。よって、この場合には、閾値Ｋ又は閾値Ｌを低く設定して、ステアリング６３の操舵速度または操舵量の変化に対しキャンバ角調整装置４４を敏感に作動させることが望ましい。しかしながら、閾値Ｋ又は閾値Ｌを低く設定すると、逆に、低速走行時には、キャンバ角を不必要に調整してしまう。これに対し、閾値Ｋ及び閾値Ｌを車両１の走行速度に応じて設定することで、キャンバ角を不必要に調整してしまうことがなく、効率的にキャンバ角の頻繁な切り替わりを防止することができる。
【００９７】
一方、ステアリング６３の操舵速度または操舵量が同等であったとしても、低速走行時には、高速走行時と比較して、キャンバ角調整装置４４を作動させてキャンバ角を調整する必要性は低い。よって、この場合には、閾値Ｋ又は閾値Ｌを高く設定して、ステアリング６３の操舵速度または操舵量の変化に対しキャンバ角調整装置４４を鈍感に作動させることが望ましい。しかしながら、閾値Ｋ又は閾値Ｌを高く設定すると、逆に、高速走行時には、キャンバ角の調整が遅れたりキャンバ角を必要に応じて調整できなくなってしまう。これに対し、閾値Ｋ及び閾値Ｌを車両１の走行速度に応じて設定することで、キャンバ角の調整が遅れたりキャンバ角を必要に応じて調整できなくなってしまうことがなく、確実にキャンバ角の頻繁な切り替わりを防止することができる。
【００９８】
更に、本実施の形態によれば、車輪２のキャンバ角が第１キャンバ角に調整された状態において、ステアリング６３の操舵速度が閾値Ｋよりも小さいと判断され且つステアリング６３の操舵量が閾値Ｌよりも小さいと判断される場合に（Ｓ４：Ｎｏ且つＳ９：Ｎｏ）、所定の時間が経過してからキャンバ角調整装置４４を作動させて車輪２のキャンバ角を第２キャンバ角に調整するので、所定の時間が経過するまでは、キャンバ角を第１キャンバ角に維持することができる。これにより、山道などのステアリング６３が頻繁に操作される道路状況において、ステアリング６３が操作されるたびにキャンバ角調整装置４４を作動させてしまうことがなく、キャンバ角の頻繁な切り替わりを防止することができる。
【００９９】
なお、図５に示すフローチャート（キャンバ制御処理）において、請求項１記載の操舵速度取得手段としてはＳ３の処理が、操舵量取得手段としてはＳ８の処理が、キャンバ制御手段としてはＳ６及びＳ１３の処理が、請求項２記載の操舵速度判断手段としてはＳ４の処理が、操舵量判断手段としてはＳ９の処理が、第１キャンバ角調整手段としてはＳ６の処理が、第１キャンバ角維持手段としてはＳ５の処理（Ｓ５：Ｙｅｓ）が、請求項３記載の車速取得手段としてはＳ１の処理が、請求項４記載の第２キャンバ角調整手段としてはＳ１３の処理が、それぞれ該当する。
【０１００】
次いで、図７から図１１を参照して、第２実施の形態について説明する。なお、第１実施の形態と同一の部分については同一の符号を付して、その説明を省略する。また、第２実施の形態では、第１実施の形態における車両１を車両用制御装置２００によって制御するものとする。
【０１０１】
図７は、第２実施の形態における車両用制御装置２００の電気的構成を示したブロック図である。車両用制御装置２００は、図７に示すように、ＣＰＵ７１、ＲＯＭ２７２及びＲＡＭ７３を備え、それらがバスライン７４を介して入出力ポート７５に接続されている。また、入出力ポート７５には、車輪駆動装置３等の装置が接続されている。
【０１０２】
ＲＯＭ２７２は、ＣＰＵ７１により実行される制御プログラム（例えば、図１０に図示されるフローチャートのプログラム）や固定値データ等を格納した書き換え不能な不揮発性のメモリであり、図７に示すように、アクセル操作速度マップ２７２ａ及びアクセル操作量マップ２７２ｂが設けられている。
【０１０３】
ここで、図８を参照して、アクセル操作速度マップ２７２ａ及びアクセル操作量マップ２７２ｂについて説明する。図８（ａ）は、アクセル操作速度マップ２７２ａの内容を模式的に示した模式図である。アクセル操作速度マップ２７２ａは、車両１の走行速度と車輪２のキャンバ角を第１キャンバ角に調整するためのアクセルペダル６１の操作速度（踏み込み速度）の閾値Ｍとの関係を規定したマップである。ＣＰＵ７１は、このアクセル操作速度マップ２７２ａの内容に基づいて、現在の車両１の走行速度において車輪２のキャンバ角を第１キャンバ角に調整するための閾値Ｍを取得する。
【０１０４】
このアクセル操作速度マップ２７２ａによれば、図８（ａ）に示すように、閾値Ｍは、車両１の走行速度が０の場合に最小値Ｍｍｉｎに規定され、車両１の走行速度が増加するに従って曲線的に大きくなるように規定されている。そして、車両１の走行速度がＶｍａｘ（走行速度の最大値）の場合に最大値Ｍｍａｘに規定されている。
【０１０５】
図８（ｂ）は、アクセル操作量マップ２７２ｂの内容を模式的に示した模式図である。アクセル操作量マップ２７２ｂは、車両１の走行速度と車輪２のキャンバ角を第１キャンバ角に調整するためのアクセルペダル６１の操作量（踏み込み量）の閾値Ｎとの関係を規定したマップである。ＣＰＵ７１は、このアクセル操作量マップ２７２ｂの内容に基づいて、現在の車両１の走行速度において車輪２のキャンバ角を第１キャンバ角に調整するための閾値Ｎを取得する。
【０１０６】
このアクセル操作量マップ２７２ｂによれば、図８（ｂ）に示すように、閾値Ｎは、車両１の走行速度が０の場合に最小値Ｎｍｉｎに規定され、車両１の走行速度が増加するに従って曲線的に大きくなるように規定されている。そして、車両１の走行速度がＶｍａｘ（走行速度の最大値）の場合に最大値Ｎｍａｘに規定されている。
【０１０７】
次いで、図９を参照して、第２実施の形態におけるキャンバ制御処理について説明する。図９は、第２実施の形態におけるキャンバ制御処理を示すフローチャートである。この処理は、車両用制御装置２００の電源が投入されている間、ＣＰＵ７１によって繰り返し（例えば、０．２秒間隔で）実行される処理であり、各ペダル６１，６２の操作速度（踏み込み速度）及び操作量（踏み込み量）に基づいて車輪２のキャンバ角を調整する処理である。
【０１０８】
ＣＰＵ７１は、第２実施の形態におけるキャンバ制御処理に関し、まず、車両１の走行速度を取得すると共に（Ｓ１）、アクセルペダル６１の操作速度（踏み込み速度）を取得し（Ｓ２３）、その取得したアクセルペダル６１の操作速度が閾値Ｍ以上であるか否かを判断する（Ｓ２４）。なお、Ｓ２４の処理では、まず、Ｓ１の処理で取得した車両１の走行速度に対応する閾値Ｍをアクセル操作速度マップ２７２ａから読み出し、その読み出した閾値ＭとＳ２３の処理で取得したアクセルペダル６１の操作速度とを比較して、現在のアクセルペダル６１の操作速度が閾値Ｍ以上であるか否かを判断する。
【０１０９】
その結果、アクセルペダル６１の操作速度が閾値Ｍ以上であると判断される場合には（Ｓ２４：Ｙｅｓ）、次いで、キャンバフラグ７３ａがオンであるか否かを判断し（Ｓ５）、キャンバフラグ７３ａがオフであると判断される場合には（Ｓ５：Ｎｏ）、キャンバ角調整装置４４を作動させて車輪２のキャンバ角を第１キャンバ角に調整すると共に（Ｓ６）、キャンバフラグ７３ａをオンして（Ｓ７）、このキャンバ制御処理を終了する。
【０１１０】
即ち、Ｓ２４の処理の結果、アクセルペダル６１の操作速度が閾値Ｍ以上であると判断される場合には、運転者によってアクセルペダル６１が急操作され、車両１が急加速するので、車輪２のキャンバ角を第１キャンバ角に調整して、車輪２にネガティブキャンバを付与する。これにより、キャンバスラストを発生させると共に第１トレッド２１の高グリップ特性を発揮させて、グリップ性能を確保することができる。
【０１１１】
なお、Ｓ５の処理の結果、キャンバフラグ７３ａがオンであると判断される場合には（Ｓ５：Ｙｅｓ）、車輪２のキャンバ角は既に第１キャンバ角に調整されているので、Ｓ６及びＳ７の処理をスキップして、このキャンバ制御処理を終了する。
【０１１２】
一方、Ｓ２４の処理の結果、アクセルペダル６１の操作速度が閾値Ｍよりも小さいと判断される場合には（Ｓ２４：Ｎｏ）、次いで、アクセルペダル６１の操作量（踏み込み量）を取得し（Ｓ２８）、その取得したアクセルペダル６１の操作量が閾値Ｎ以上であるか否かを判断する（Ｓ２９）。なお、Ｓ２９の処理では、まず、Ｓ１の処理で取得した車両１の走行速度に対応する閾値Ｎをアクセル操作量マップ２７２ｂから読み出し、その読み出した閾値ＮとＳ２８の処理で取得したアクセルペダル６１の操作量とを比較して、現在のアクセルペダル６１の操作量が閾値Ｎ以上であるか否かを判断する。
【０１１３】
その結果、アクセルペダル６１の操作量が閾値Ｎ以上であると判断される場合には（Ｓ２９：Ｙｅｓ）、キャンバフラグ７３ａがオンであるか否かを判断し（Ｓ５）、キャンバフラグ７３ａがオフであると判断される場合には（Ｓ５：Ｎｏ）、キャンバ角調整装置４４を作動させて車輪２のキャンバ角を第１キャンバ角に調整すると共に（Ｓ６）、キャンバフラグ７３ａをオンして（Ｓ７）、このキャンバ制御処理を終了する。
【０１１４】
即ち、Ｓ２９の処理の結果、アクセルペダル６１の操作量が閾値Ｎ以上であると判断される場合には、急加速でなくとも、車両１が加速中であるので、車輪２のキャンバ角を第１キャンバ角に調整して、車輪２にネガティブキャンバを付与する。これにより、キャンバスラストを発生させると共に第１トレッド２１の高グリップ特性を発揮させて、グリップ性能を確保することができる。
【０１１５】
なお、Ｓ５の処理の結果、キャンバフラグ７３ａがオンであると判断される場合には（Ｓ５：Ｙｅｓ）、車輪２のキャンバ角は既に第１キャンバ角に調整されているので、Ｓ６及びＳ７の処理をスキップして、このキャンバ制御処理を終了する。
【０１１６】
一方、Ｓ２９の処理の結果、アクセルペダル６１の操作量が閾値Ｎよりも小さいと判断される場合には（Ｓ２９：Ｎｏ）、次いで、ブレーキペダル６２の操作速度（踏み込み速度）を取得し（Ｓ３０）、その取得したブレーキペダル６２の操作速度が所定値以上であるか否かを判断する（Ｓ３１）。なお、Ｓ３１の処理では、Ｓ３０の処理で取得したブレーキペダル６２の操作速度と、ＲＯＭ２７２に予め記憶されている閾値とを比較して、現在のブレーキペダル６２の操作速度が所定値以上であるか否かを判断する。
【０１１７】
その結果、ブレーキペダル６２の操作速度が所定値以上であると判断される場合には（Ｓ３１：Ｙｅｓ）、次いで、キャンバフラグ７３ａがオンであるか否かを判断し（Ｓ５）、キャンバフラグ７３ａがオフであると判断される場合には（Ｓ５：Ｎｏ）、キャンバ角調整装置４４を作動させて車輪２のキャンバ角を第１キャンバ角に調整すると共に（Ｓ６）、キャンバフラグ７３ａをオンして（Ｓ７）、このキャンバ制御処理を終了する。
【０１１８】
即ち、Ｓ３１の処理の結果、ブレーキペダル６２の操作速度が所定値以上であると判断される場合には、運転者によってブレーキペダル６２が操作され、車両１が制動中であるので、車輪２のキャンバ角を第１キャンバ角に調整して、車輪２にネガティブキャンバを付与する。これにより、キャンバスラストを発生させると共に第１トレッド２１の高グリップ特性を発揮させて、グリップ性能を確保することができる。
【０１１９】
なお、Ｓ５の処理の結果、キャンバフラグ７３ａがオンであると判断される場合には（Ｓ５：Ｙｅｓ）、車輪２のキャンバ角は既に第１キャンバ角に調整されているので、Ｓ６及びＳ７の処理をスキップして、このキャンバ制御処理を終了する。
【０１２０】
一方、Ｓ３１の処理の結果、ブレーキペダル６２の操作速度が所定値よりも小さいと判断される場合には（Ｓ３１：Ｎｏ）、次いで、ブレーキペダル６２の操作量（踏み込み量）を取得し（Ｓ３２）、その取得したブレーキペダル６２の操作量が所定値以上であるか否かを判断する（Ｓ３３）。なお、Ｓ３３の処理では、Ｓ３２の処理で取得したブレーキペダル６２の操作量と、ＲＯＭ２７２に予め記憶されている閾値とを比較して、現在のブレーキペダル６２の操作量が所定値以上であるか否かを判断する。
【０１２１】
その結果、ブレーキペダル６２の操作量が所定値以上であると判断される場合には（Ｓ３３：Ｙｅｓ）、キャンバフラグ７３ａがオンであるか否かを判断し（Ｓ５）、キャンバフラグ７３ａがオフであると判断される場合には（Ｓ５：Ｎｏ）、キャンバ角調整装置４４を作動させて車輪２のキャンバ角を第１キャンバ角に調整すると共に（Ｓ６）、キャンバフラグ７３ａをオンして（Ｓ７）、このキャンバ制御処理を終了する。
【０１２２】
即ち、Ｓ３３の処理の結果、ブレーキペダル６２の操作量が所定値以上であると判断される場合には、運転者によってブレーキペダル６２が操作され、車両１が制動中であるので、車輪２のキャンバ角を第１キャンバ角に調整して、車輪２にネガティブキャンバを付与する。これにより、キャンバスラストを発生させると共に第１トレッド２１の高グリップ特性を発揮させて、グリップ性能を確保することができる。
【０１２３】
なお、Ｓ５の処理の結果、キャンバフラグ７３ａがオンであると判断される場合には（Ｓ５：Ｙｅｓ）、車輪２のキャンバ角は既に第１キャンバ角に調整されているので、Ｓ６及びＳ７の処理をスキップして、このキャンバ制御処理を終了する。
【０１２４】
一方、Ｓ３３の処理の結果、ブレーキペダル６２の操作量が所定値よりも小さいと判断される場合には（Ｓ３３：Ｎｏ）、次いで、キャンバフラグ７３ａがオンであるか否かを判断し（Ｓ１０）、キャンバフラグ７３ａがオンであると判断される場合には（Ｓ１０：Ｙｅｓ）、計時装置８０により計時を開始する（Ｓ１１）。
【０１２５】
次いで、Ｓ１１の処理で計時を開始してから所定の時間（例えば３秒など）が経過したか否かを判断し（Ｓ１２）、所定の時間が経過していないと判断される場合には（Ｓ１２：Ｎｏ）、所定の時間が経過したと判断されるまでＳ１２の処理を繰り返し実行する。
【０１２６】
一方、Ｓ１２の処理の結果、所定の時間が経過したと判断される場合には（Ｓ１２：Ｙｅｓ）、車輪２のキャンバ角を第２キャンバ角に調整すると共に（Ｓ１３）、キャンバフラグ７３ａをオフして（Ｓ１４）、このキャンバ制御処理を終了する。
【０１２７】
即ち、Ｓ２４の処理の結果、アクセルペダル６１の操作速度が閾値Ｍよりも小さいと判断され且つＳ２９の処理の結果、アクセルペダル６１の操作量が閾値Ｎよりも小さいと判断される場合（Ｓ２４：Ｎｏ且つＳ２９：Ｎｏ）、Ｓ３１の処理の結果、ブレーキペダル６２の操作速度が所定値よりも小さいと判断され且つＳ３３の処理の結果、ブレーキペダル６２の操作量が所定値よりも小さいと判断される場合には（Ｓ３１：Ｎｏ且つＳ３３：Ｎｏ）、車両１が一定の走行速度で走行中であり、グリップ性能の確保は不要であるので、車輪２のキャンバ角を第２キャンバ角に調整して、ネガティブキャンバの付与を中止する。これにより、キャンバスラストを低減すると共に第１トレッド２１の高グリップ特性の発揮を抑制して、低燃費化を図ることができる。更に、本実施の形態では、第２キャンバ角として車輪２のキャンバ角を０°に調整するので、キャンバスラストの発生を回避すると共に第２トレッド２２の低転がり抵抗を発揮させて、更なる低燃費化を図ることができる。
【０１２８】
なお、Ｓ１０の処理の結果、キャンバフラグ７３ａがオフであると判断される場合には（Ｓ１０：Ｎｏ）、車輪２のキャンバ角は既に第２キャンバ角に調整されているので、Ｓ１１からＳ１４の処理をスキップして、このキャンバ制御処理を終了する。
【０１２９】
以上説明したように、本実施の形態によれば、アクセルペダル６１の操作速度が閾値Ｍ以上であると判断されるか又はアクセルペダル６１の操作量が閾値Ｎ以上であると判断される場合に（Ｓ２４：Ｙｅｓ又はＳ２９：Ｙｅｓ）、キャンバ角調整装置４４を作動させるので、アクセルペダル６１の操作量が閾値Ｎに満たなくとも、アクセルペダル６１の操作速度が閾値Ｍ以上となることで、キャンバ角調整装置４４を作動させることができる。これにより、アクセルペダル６１の操作速度が操作量よりも早く変化する急加速時において、アクセルペダル６１が操作されてからキャンバ角調整装置４４を作動させるまでのタイムラグを抑制することができ、キャンバ角の調整を素早く行うことができる。
【０１３０】
また、車輪２のキャンバ角が第１キャンバ角に調整された状態において、アクセルペダル６１の操作速度が閾値Ｍよりも小さいと判断され且つアクセルペダル６１の操作量が閾値Ｎよりも小さいと判断されるまで（Ｓ２４：Ｎｏ且つＳ２９：Ｎｏ）、車輪２のキャンバ角を第１キャンバ角に維持するので、アクセルペダル６１の操作速度が閾値Ｍに満たなくなっても、アクセルペダル６１の操作量が閾値Ｎに満たなくなるまでは、キャンバ角を第１キャンバ角に維持することができる。これにより、加速時において、目標の走行速度となるまで車輪２のキャンバ角を維持することができ、キャンバ角の切り替わりを防止することができる。
【０１３１】
同様に、ブレーキペダル６２の操作速度が所定値以上であると判断されるか又はブレーキペダル６２の操作量が所定値以上であると判断される場合に（Ｓ３１：Ｙｅｓ又はＳ３３：Ｙｅｓ）、キャンバ角調整装置４４を作動させるので、ブレーキペダル６２の操作量が所定値に満たなくとも、ブレーキペダル６２の操作速度が所定値以上となることで、キャンバ角調整装置４４を作動させることができる。これにより、ブレーキペダル６２の操作速度が操作量よりも早く変化する急制動時において、ブレーキペダル６２が操作されてからキャンバ角調整装置４４を作動させるまでのタイムラグを抑制することができ、キャンバ角の調整を素早く行うことができる。
【０１３２】
また、車輪２のキャンバ角が第１キャンバ角に調整された状態において、ブレーキペダル６２の操作速度が所定値よりも小さいと判断され且つブレーキペダル６２の操作量が所定値よりも小さいと判断されるまで（Ｓ３１：Ｎｏ且つＳ３３：Ｎｏ）、車輪２のキャンバ角を第１キャンバ角に維持するので、ブレーキペダル６２の操作速度が所定値に満たなくなっても、ブレーキペダル６２の操作量が所定値に満たなくなるまでは、キャンバ角を第１キャンバ角に維持することができる。これにより、制動時において、目標の走行速度となるまで車輪２のキャンバ角を維持することができ、キャンバ角の切り替わりを防止することができる。
【０１３３】
ここで、図１０を参照して、加速時および制動時における車輪２のキャンバ角の調整について説明する。図１０は、アクセルペダル６１の操作速度および操作量と車輪２のキャンバ角との関係およびブレーキペダル６２の操作速度および操作量と車輪２のキャンバ角との関係を時系列に示したグラフである。
【０１３４】
図１０に示すように、車両１の加速時には、まず、アクセルペダル６１が操作され、アクセルペダル６１の操作速度が閾値Ｍ以上となるか又はアクセルペダル６１の操作量が閾値Ｎ以上となることで、車輪２のキャンバ角が第１キャンバ角に調整される。なお、図１０では、アクセルペダル６１の操作速度が閾値Ｍ以上となることで、車輪２のキャンバ角が第１キャンバ角に調整される場合が図示されている。
【０１３５】
次いで、アクセルペダル６１の操作が緩められると、アクセルペダル６１の操作速度が閾値Ｍに満たなくなる。しかしながら、アクセルペダル６１の操作が緩められても、アクセルペダル６１の操作量が閾値Ｎ以上であれば、車輪２のキャンバ角は第１キャンバ角に維持される。
【０１３６】
また、図１０に示すように、車両１の制動時には、まず、ブレーキペダル６２が操作され、ブレーキペダル６２の操作速度が所定値以上となるか又はブレーキペダル６２の操作量が所定値以上となることで、車輪２のキャンバ角が第１キャンバ角に調整される。なお、図１０では、ブレーキペダル６２の操作速度が所定値以上となることで、車輪２のキャンバ角が第１キャンバ角に調整される場合が図示されている。
【０１３７】
次いで、ブレーキペダル６２の操作が緩められると、ブレーキペダル６２の操作速度が所定値に満たなくなる。しかしながら、ブレーキペダル６２の操作が緩められても、ブレーキペダル６２の操作量が所定値以上であれば、車輪２のキャンバ角は第１キャンバ角に維持される。
【０１３８】
ここで、例えば、各ペダル６１，６２の操作量のみに基づいてキャンバ角調整装置４４を作動させる場合には、各ペダル６１，６２の僅かな操作に伴ってキャンバ角調整装置４４を不必要に作動させてしまうことを防止するべく、一般に（本実施の形態の場合と同様に）、各ペダル６１，６２の操作量に対しキャンバ角調整装置４４を作動させるための閾値が設けられている。
【０１３９】
しかしながら、キャンバ角調整装置４４を作動させるための閾値を設けると、各ペダル６１，６２が操作されてからキャンバ角調整装置４４が作動するまでにタイムラグが生じ、急加速時や急制動時においてキャンバ角の調整に遅れが生じるという問題点があった。
【０１４０】
これに対し、本実施の形態によれば、各ペダル６１，６２の操作速度および操作量に基づいてキャンバ角調整装置４４を作動させることで、各ペダル６１，６２の操作速度が操作量よりも早く変化する急加速時や急制動時において、各ペダル６１，６２が操作されてからキャンバ角調整装置４４を作動させるまでのタイムラグを抑制することができる。従って、急加速時や急制動時におけるキャンバ角の調整を素早く行うことができる。
【０１４１】
また、例えば、各ペダル６１，６２の操作速度のみに基づいてキャンバ角調整装置４４を作動させる場合には、各ペダル６１，６２の操作速度が閾値に満たなくなると、加速時や制動時であっても、キャンバ角調整装置４４が作動してしまい、目標の走行速度となる前にキャンバ角が切り替わってしまうという問題点があった。
【０１４２】
これに対し、本実施の形態によれば、各ペダル６１，６２の操作速度および操作量に基づいてキャンバ角調整装置４４を作動させることで、加速時や制動時において、目標の走行速度となるまで車輪２のキャンバ角を維持することができる。従って、加速時や制動時におけるキャンバ角の切り替わりを防止することができる。
【０１４３】
また、本実施の形態によれば、車輪２のキャンバ角を第１キャンバ角に調整するためのアクセルペダル６１の操作速度の閾値Ｍ及びアクセルペダル６１の操作量の閾値Ｎは、車両１の走行速度に応じて設定されるので、効率的かつ確実に加速時におけるキャンバ角の切り替わりを防止することができる。
【０１４４】
即ち、アクセルペダル６１の操作速度または操作量が同等であったとしても、低速走行時には、高速走行時と比較して、車両１の加速する割合が高いので、車両１の安全性を確保するべくキャンバ角を調整する必要性が高い。よって、この場合には、閾値Ｍ又は閾値Ｎを低く設定して、アクセルペダル６１の操作速度または操作量の変化に対しキャンバ角調整装置４４を敏感に作動させることが望ましい。しかしながら、閾値Ｍ又は閾値Ｎを低く設定すると、逆に、高速走行時には、車両１の加速する割合が低いにも関わらず、キャンバ角を不必要に調整してしまう。これに対し、閾値Ｍ及び閾値Ｎを車両１の走行速度に応じて設定することで、キャンバ角を不必要に調整してしまうことがなく、効率的にキャンバ角の切り替わりを防止することができる。
【０１４５】
一方、アクセルペダル６１の操作速度または操作量が同等であったとしても、高速走行時には、低速走行時と比較して、車両１の加速する割合が低いので、キャンバ角調整装置４４を作動させてキャンバ角を調整する必要性は低い。よって、この場合には、閾値Ｍ又は閾値Ｎを高く設定して、アクセルペダル６１の操作速度または操作量の変化に対しキャンバ角調整装置４４を鈍感に作動させることが望ましい。しかしながら、閾値Ｍ又は閾値Ｎを高く設定すると、逆に、低速走行時には、キャンバ角の調整が遅れたりキャンバ角を必要に応じて調整できなくなってしまう。これに対し、閾値Ｍ及び閾値Ｎを車両１の走行速度に応じて設定することで、キャンバ角の調整が遅れたりキャンバ角を必要に応じて調整できなくなってしまうことがなく、確実にキャンバ角の切り替わりを防止することができる。
【０１４６】
更に、本実施の形態によれば、車輪２のキャンバ角が第１キャンバ角に調整された状態において、アクセルペダル６１の操作速度が閾値Ｍよりも小さいと判断され且つアクセルペダル６１の操作量が閾値Ｎよりも小さいと判断される場合に（Ｓ２４：Ｎｏ且つＳ２９：Ｎｏ）、所定の時間が経過してからキャンバ角調整装置４４を作動させて車輪２のキャンバ角を第２キャンバ角に調整するので、所定の時間が経過するまでは、キャンバ角を第１キャンバ角に維持することができる。これにより、上り坂などのアクセルペダル６１が頻繁に操作される道路状況において、アクセルペダル６１が操作されるたびにキャンバ角調整装置４４を作動させてしまうことがなく、キャンバ角の頻繁な切り替わりを防止することができる。
【０１４７】
同様に、車輪２のキャンバ角が第１キャンバ角に調整された状態において、ブレーキペダル６２の操作速度が所定値よりも小さいと判断され且つブレーキペダル６２の操作量が所定値よりも小さいと判断される場合に（Ｓ３１：Ｎｏ且つＳ３３：Ｎｏ）、所定の時間が経過してからキャンバ角調整装置４４を作動させて車輪２のキャンバ角を第２キャンバ角に調整するので、下り坂などのブレーキペダル６２が頻繁に操作される道路状況において、ブレーキペダル６２が操作されるたびにキャンバ角調整装置４４を作動させてしまうことがなく、キャンバ角の頻繁な切り替わりを防止することができる。
【０１４８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０１４９】
例えば、上記各実施の形態で挙げた数値は一例であり、他の数値を採用することは当然可能である。また、上記各実施の形態における構成の一部または全部を他の実施の形態における構成の一部または全部と組み合わせることは当然可能である。
【０１５０】
上記各実施の形態では、全ての車輪２のキャンバ角を第１キャンバ角および第２キャンバ角に調整する場合を説明したが、必ずしもこれに限られるものではなく、例えば、前輪２ＦＬ，２ＦＲ又は後輪２ＲＬ，２ＲＲのいずれか一方のみを第１キャンバ角および第２キャンバ角に調整しても良い。
【０１５１】
上記各実施の形態では、車輪２のキャンバ角が第１キャンバ角に調整された状態において、所定の時間が経過してからキャンバ角を第２キャンバ角に調整する場合を説明したが、必ずしもこれに限られるものではなく、所定の時間の経過を待たずして、キャンバ角を第２キャンバ角に調整する構成としても良い。この場合には、キャンバ制御処理の簡素化を図ることができる。
【０１５２】
上記各実施の形態では説明を省略したが、車輪２のキャンバ角が第１キャンバ角に調整された状態において、車両１が走行予定の経路における道路の情報をナビゲーション装置８２により取得する手段と、その取得した道路の情報が所定の条件を満たすかを判断する手段と、その判断結果が所定の条件を満たすと判断される場合に、車輪２のキャンバ角を第１キャンバ角に維持する手段とを備える構成としても良い。これにより、走行予定の経路が所定の条件を満たす場合には、キャンバ角を第１キャンバ角に維持することができるので、キャンバ角の頻繁な切り替わりを防止することができる。なお、所定の条件としては、例えば、走行予定の経路が所定半径以下のカーブとなっている場合、走行予定の経路が右折や左折である場合、走行予定の経路が上り坂や下り坂である場合、走行予定の経路に一旦停止や信号機がある場合などが例示される。
【０１５３】
上記各実施の形態では、ステアリング６３の操舵速度の閾値Ｋ及び操舵量の閾値Ｌ、アクセルペダル６１の操作速度の閾値Ｍ及び操作量の閾値Ｎが車両１の走行速度の変化に対して曲線的に変化する場合を説明したが、かかる構成は一例であり、他の構成とすることは当然可能である。例えば、かかる変化を直線的に変化させることは当然可能である。また、ステアリング６３の操舵速度の閾値Ｋ及び操舵量の閾値Ｌを車両１の走行速度が０の場合から規定しても良い。
【０１５４】
上記各実施の形態では、１のステアリング操舵速度マップ７２ａ及びステアリング操舵量マップ７２ｂ、１のアクセル操作速度マップ２７２ａ及びアクセル操作量マップ２７２ｂを備える場合を説明したが、必ずしもこれに限られるものではなく、複数のステアリング操舵速度マップ７２ａ及びステアリング操舵量マップ７２ｂ、アクセル操作速度マップ２７２ａ及びアクセル操作量マップ２７２ｂを備えることは当然可能である。
【０１５５】
例えば、道路状況に対応してそれぞれ異なる内容で構成された複数のマップ（例えば、乾燥舗装路用マップ、雨天舗装路用マップ、未舗装路用マップなど）を準備すると共に、車両１が走行予定の経路における道路の情報をナビゲーション装置８２により取得し、その取得した道路の情報に対応するマップを用いて、ステアリング６３の操舵速度の閾値Ｋ及び操舵量の閾値Ｌ、アクセルペダル６１の操作速度の閾値Ｍ及び操作量の閾値Ｎを取得するように構成しても良い。
【０１５６】
上記各実施の形態では、第１トレッド２１が車両１の内側に、第２トレッド２２が車両１の外側に、それぞれ配設される場合を説明したが、必ずしもこれに限られるものではなく、例えば、第１トレッド２１が車両１の外側に、第２トレッド２２が車両１の内側に、それぞれ配設されていても良い。この場合には、上述した第１キャンバ状態において、車輪２のキャンバ角が第２キャンバ角に調整されると共に、第２キャンバ状態において、車輪２のキャンバ角が第１キャンバ角に調整され、車輪２にポジティブキャンバが付与されるように構成することで、上記各実施の形態の場合と同様に、グリップ性能を確保することができると共に省燃費化を図ることができる。
【０１５７】
上記第１実施の形態では、車両１の走行速度が所定の走行速度以下である場合には、車輪２のキャンバ角を第２キャンバ角に調整する場合を説明したが、必ずしもこれに限られるものではなく、車両１の走行速度が所定の走行速度以下であっても、ステアリング６３の操舵速度の閾値Ｋ及び操舵量の閾値Ｌに応じてキャンバ角を第１キャンバ角に調整する構成としても良い。
【０１５８】
上記第２実施の形態では、車両１の走行速度がＶｍａｘ（走行速度の最大値）の場合に、アクセルペダル６１の操作速度の閾値Ｍが最大値Ｍｍａｘに、操作量の閾値Ｎが最大値Ｎｍａｘに、それぞれ規定される場合を説明したが、必ずしもこれに限られるものではなく、例えば、車両１の走行速度がＶｍａｘよりも小さい走行速度において、アクセルペダル６１の操作速度の閾値Ｍを最大値Ｍｍａｘに、操作量の閾値Ｎを最大値Ｎｍａｘに、それぞれ規定しても良い。これにより、例え車両１の加速する割合が低い高速走行時にあっても、車両１の走行速度が所定の走行速度以上の場合には、車輪２のキャンバ角を第１キャンバ角に調整するための閾値を低く設定することで、車両１の安全性を確保することができる。
【０１５９】
以下に、本発明の車両用制御装置に加えて、上記第２実施の形態に含まれる発明の概念を示す。
【０１６０】
回転駆動可能に構成される車輪と、その車輪を回転駆動するために操作される操作部材と、前記車輪のキャンバ角を調整するキャンバ角調整装置とを備えた車両に用いられる車両用制御装置であって、前記操作部材の操作速度を取得する操作速度取得手段と、前記操作部材の操作量を取得する操作量取得手段と、前記操作速度取得手段により取得された前記操作部材の操作速度および前記操作量取得手段により取得された前記操作部材の操作量に基づいて、前記キャンバ角調整装置を作動させるキャンバ制御手段と、を備えている車両用制御装置Ａ１。
【０１６１】
車両用制御装置Ａ１によれば、キャンバ制御手段は、操作速度取得手段により取得された操作部材の操作速度および操作量取得手段により取得された操作部材の操作量に基づいて、キャンバ角調整装置を作動させる。
【０１６２】
よって、操作部材の操作量および操作部材の操作速度に基づいてキャンバ角調整装置を作動させることで、操作部材の操作速度が操作量よりも早く変化する急加速時において、操作部材が操作されてからキャンバ角調整装置を作動させるまでのタイムラグを抑制することができる。従って、急加速時におけるキャンバ角の調整を素早く行うことができる。
【０１６３】
また、操作部材の操作量および操作部材の操作速度に基づいてキャンバ角調整装置を作動させることで、加速時において、操作部材の操作速度が緩められても、目標の走行速度となるまで車輪のキャンバ角を維持することができる。従って、加速時におけるキャンバ角の切り替わりを防止することができる。
【０１６４】
回転駆動可能に構成される車輪と、その車輪の回転駆動を制動するために操作される操作部材と、前記車輪のキャンバ角を調整するキャンバ角調整装置とを備えた車両に用いられる車両用制御装置であって、前記操作部材の操作速度を取得する操作速度取得手段と、前記操作部材の操作量を取得する操作量取得手段と、前記操作速度取得手段により取得された前記操作部材の操作速度および前記操作量取得手段により取得された前記操作部材の操作量に基づいて、前記キャンバ角調整装置を作動させるキャンバ制御手段と、を備えている車両用制御装置Ａ２。
【０１６５】
車両用制御装置Ａ２によれば、キャンバ制御手段は、操作速度取得手段により取得された操作部材の操作速度および操作量取得手段により取得された操作部材の操作量に基づいて、キャンバ角調整装置を作動させる。
【０１６６】
よって、操作部材の操作量および操作部材の操作速度に基づいてキャンバ角調整装置を作動させることで、操作部材の操作速度が操作量よりも早く変化する急制動時において、操作部材が操作されてからキャンバ角調整装置を作動させるまでのタイムラグを抑制することができる。従って、急制動時におけるキャンバ角の調整を素早く行うことができる。
【０１６７】
また、操作部材の操作量および操作部材の操作速度に基づいてキャンバ角調整装置を作動させることで、制動時において、操作部材の操作速度が緩められても、目標の走行速度となるまで車輪のキャンバ角を維持することができる。従って、制動時におけるキャンバ角の切り替わりを防止することができる。
【０１６８】
車両用制御装置Ａ１又はＡ２において、前記操作速度取得手段により取得された前記操作部材の操作速度が所定の操作速度以上であるかを判断する操作速度判断手段と、前記操作量取得手段により取得された前記操作部材の操作量が所定の操作量以上であるかを判断する操作量判断手段と、を備え、前記キャンバ制御手段は、前記操作速度判断手段により前記操作部材の操作速度が所定の操作速度以上であると判断されるか又は前記操作量判断手段により前記操作部材の操作量が所定の操作量以上であると判断される場合に、前記キャンバ角調整装置を作動させて前記車輪のキャンバ角を第１キャンバ角に調整する第１キャンバ角調整手段と、その第１キャンバ角調整手段により前記車輪のキャンバ角が第１キャンバ角に調整された状態において、前記操作速度判断手段により前記操作部材の操作速度が所定の操作速度よりも小さいと判断され且つ前記操作量判断手段により前記操作部材の操作量が所定の操作量よりも小さいと判断されるまで、前記車輪のキャンバ角を第１キャンバ角に維持する第１キャンバ角維持手段と、を備えている車両用制御装置Ａ３。
【０１６９】
車両用制御装置Ａ３によれば、キャンバ制御手段は、操作速度判断手段により操作部材の操作速度が所定の操作速度以上であると判断されるか又は操作量判断手段により操作部材の操作量が所定の操作量以上であると判断される場合に、キャンバ角調整装置を作動させる第１キャンバ角調整手段を備えているので、操作部材の操作量が所定の操作量に満たなくとも、操作部材の操作速度が所定の操作速度以上となることで、キャンバ角調整装置を作動させることができる。これにより、操作部材の操作速度が操作量よりも早く変化する急加速時または急制動時において、操作部材が操作されてからキャンバ角調整装置を作動させるまでのタイムラグを抑制することができ、キャンバ角の調整を素早く行うことができる。
【０１７０】
更に、第１キャンバ角調整手段は、車輪のキャンバ角を第１キャンバ角に調整するので、例えば、第１キャンバ角を、キャンバスラストが発生するキャンバ角としたり車輪の高グリップ特性が発揮されるキャンバ角とすることで、グリップ性能を確保することができる。
【０１７１】
また、キャンバ制御手段は、第１キャンバ角調整手段により車輪のキャンバ角が第１キャンバ角に調整された状態において、操作速度判断手段により操作部材の操作速度が所定の操作速度よりも小さいと判断され且つ操作量判断手段により操作部材の操作量が所定の操作量よりも小さいと判断されるまで、車輪のキャンバ角を第１キャンバ角に維持する第１キャンバ角維持手段を備えているので、操作部材の操作量が所定の操作量に満たなくなっても、操作部材の操作速度が所定の操作速度に満たなくなるまでは、キャンバ角を第１キャンバ角に維持することができる。これにより、加速時または制動時において、操作部材の操作速度が緩められても、キャンバ角調整装置を作動させてしまうことがなく、キャンバ角の切り替わりを防止することができる。
【０１７２】
車両用制御装置Ａ１に従属する車両用制御装置Ａ３において、前記車両の走行速度を取得する車速取得手段を備え、前記操作速度判断手段の判断基準となる前記所定の操作速度および前記操作量判断手段の判断基準となる前記所定の操作量の少なくとも一方は、前記車速取得手段により取得された前記車両の走行速度に応じて設定される車両用制御装置Ａ４。
【０１７３】
車両用制御装置Ａ４によれば、操作速度判断手段の判断基準となる操作速度および操作量判断手段の判断基準となる操作量の少なくとも一方は、車速取得手段により取得された車両の走行速度に応じて設定されるので、効率的かつ確実にキャンバ角の切り替わりを防止することができるという効果がある。
【０１７４】
即ち、操作部材の操作量または操作速度が同等であったとしても、低速走行時には、高速走行時と比較して、車両の加速する割合が高いので、車両の安全性を確保するべくキャンバ角を調整する必要性が高い。よって、この場合には、操作速度判断手段の判断基準となる操作速度または操作量判断手段の判断基準となる操作量を低く設定して、操作部材の操作速度または操作量の変化に対しキャンバ角調整装置を敏感に作動させることが望ましい。しかしながら、操作速度判断手段の判断基準となる操作速度または操作量判断手段の判断基準となる操作量を低く設定すると、逆に、高速走行時には、車両の加速する割合が低いにも関わらず、キャンバ角を不必要に調整してしまう。これに対し、車両用制御装置Ａ４によれば、操作速度判断手段の判断基準となる操作速度および操作量判断手段の判断基準となる操作量の少なくとも一方を車両の走行速度に応じて設定することで、キャンバ角を不必要に調整してしまうことがなく、効率的にキャンバ角の切り替わりを防止することができる。
【０１７５】
一方、操作部材の操作速度または操作量が同等であったとしても、高速走行時には、低速走行時と比較して、車両の加速する割合が低いので、キャンバ角調整装置を作動させてキャンバ角を調整する必要性は低い。よって、この場合には、操作速度判断手段の判断基準となる操作速度または操作量判断手段の判断基準となる操作量を高く設定して、操作部材の操作速度または操作量の変化に対しキャンバ角調整装置を鈍感に作動させることが望ましい。しかしながら、操作速度判断手段の判断基準となる操作速度または操作量判断手段の判断基準となる操作量を高く設定すると、逆に、低速走行時には、キャンバ角の調整が遅れたりキャンバ角を必要に応じて調整できなくなってしまう。これに対し、車両用制御装置Ａ４によれば、操作速度判断手段の判断基準となる操作速度および操作量判断手段の判断基準となる操作量の少なくとも一方を車両の走行速度に応じて設定することで、キャンバ角の調整が遅れたりキャンバ角を必要に応じて調整できなくなってしまうことがなく、確実にキャンバ角の切り替わりを防止することができる。
【０１７６】
車両用制御装置Ａ３又はＡ４において、前記車輪は、第１トレッドと、その第１トレッドに対して前記車両の内側または外側に配置される第２トレッドと、を備え、前記第１トレッドが前記第２トレッドに比してグリップ力の高い特性に構成されると共に、前記第２トレッドが前記第１トレッドに比して転がり抵抗の小さい特性に構成され、前記キャンバ制御手段は、前記操作速度判断手段により前記操作部材の操作速度が所定の操作速度よりも小さいと判断され且つ前記操作量判断手段により前記操作部材の操作量が所定の操作量よりも小さいと判断される場合に、前記キャンバ角調整装置を作動させて前記車輪のキャンバ角を第２キャンバ角に調整する第２キャンバ角調整手段を備え、前記第１キャンバ角調整手段により前記車輪のキャンバ角が第１キャンバ角に調整された状態では、前記第２キャンバ角調整手段により前記車輪のキャンバ角が第２キャンバ角に調整された状態よりも、前記第２トレッドの接地に対する前記第１トレッドの接地比率が大きくなる一方、前記第２キャンバ角調整手段により前記車輪のキャンバ角が第２キャンバ角に調整された状態では、前記第１キャンバ角調整手段により前記車輪のキャンバ角が第１キャンバ角に調整された状態よりも、前記第１トレッドの接地に対する前記第２トレッドの接地比率が大きくなる車両用制御装置Ａ５。
【０１７７】
車両用制御装置Ａ５によれば、キャンバ制御手段は、操作速度判断手段により操作部材の操作速度が所定の操作速度よりも小さいと判断され且つ操作量判断手段により操作部材の操作量が所定の操作量よりも小さいと判断される場合に、キャンバ角調整装置を作動制御して車輪のキャンバ角を第２キャンバ角に調整する第２キャンバ角調整手段を備え、第１キャンバ角調整手段により車輪のキャンバ角が第１キャンバ角に調整された状態では、第２キャンバ角調整手段により車輪のキャンバ角が第２キャンバ角に調整された状態よりも、第２トレッドの接地に対する第１トレッドの接地比率が大きくなるので、車輪のキャンバ角が第１キャンバ角に調整された状態では、第１トレッドのグリップ力の高い特性を発揮させて、グリップ性能を確保することができる。
【０１７８】
一方、第２キャンバ角調整手段により車輪のキャンバ角が第２キャンバ角に調整された状態では、第１キャンバ角調整手段により車輪のキャンバ角が第１キャンバ角に調整された状態よりも、第１トレッドの接地に対する第２トレッドの接地比率が大きくなるので、車輪のキャンバ角が第２キャンバ角に調整された状態では、第２トレッドの転がり抵抗の小さい特性を発揮させて、低燃費化を図ることができる。
【０１７９】
また、第２キャンバ角調整手段は、車輪のキャンバ角を第２キャンバ角に調整するので、例えば、第２キャンバ角を、キャンバスラストが低減されるキャンバ角とすることで、低燃費化を図ることができる。
【０１８０】
なお、図９に示すフローチャート（キャンバ制御処理）において、車両用制御装置Ａ１記載の操作速度取得手段としてはＳ２３の処理が、操作量取得手段としてはＳ２８の処理が、キャンバ制御手段としてはＳ６及びＳ１３の処理が、車両用制御装置Ａ２記載の操作速度取得手段としてはＳ３０の処理が、操作量取得手段としてはＳ３２の処理が、キャンバ制御手段としてはＳ６及びＳ１３の処理が、車両用制御装置Ａ３記載の操作速度判断手段としてはＳ２４及びＳ３１の処理が、操作量判断手段としてはＳ２９及びＳ３３の処理が、第１キャンバ角調整手段としてはＳ６の処理が、第１キャンバ角維持手段としてはＳ５の処理（Ｓ５：Ｙｅｓ）が、車両用制御装置Ａ４記載の車速取得手段としてはＳ１の処理が、車両用制御装置Ａ５記載の第２キャンバ角調整手段としてはＳ１３の処理が、それぞれ該当する。
【符号の説明】
【０１８１】
１００，２００      車両用制御装置
１                  車両
２                  車輪
２ＦＬ              左の前輪（車輪の一部）
２ＦＲ              右の前輪（車輪の一部）
２ＲＬ              左の後輪（車輪の一部）
２ＲＲ              右の後輪（車輪の一部）
２１                第１トレッド
２２                第２トレッド
４４                キャンバ角調整装置
４４ＦＬ            ＦＬモータ（キャンバ角調整装置の一部）
４４ＦＲ            ＦＲモータ（キャンバ角調整装置の一部）
４４ＲＬ            ＲＬモータ（キャンバ角調整装置の一部）
４４ＲＲ            ＲＲモータ（キャンバ角調整装置の一部）
６１                アクセルペダル（操作部材）
６２                ブレーキペダル（操作部材）
６３                ステアリング（操舵部材）
【図１】
2010228470.tif 000003
【図２】
2010228470.tif 000004
【図３】
2010228470.tif 000005
【図４】
2010228470.tif 000006
【図５】
2010228470.tif 000007
【図６】
2010228470.tif 000008
【図７】
2010228470.tif 000009
【図８】
2010228470.tif 000010
【図９】
2010228470.tif 000011
【図１０】
2010228470.tif 000012